(57)【要約】【課題】  着信があった場合に携帯電話機を把持することなく発呼者の確認を行い得るようにして使い勝手や安全性の向上を図り、また各種の外部記憶媒体を用いることを可能として多機能化、複合機能化を図る。【解決手段】  無線送受信モジュール１７と、スピーカ７と、マイクロホン１１と、自動車のシガーライタ・ソケット４に差し込まれて電源の供給を受けるシガーライタ・プラグ６と、ＵＳＢモジュール１５とシリーズＢ仕様コネクタ１４とを搭載したＵＳＢポート１３を備え、シリーズＡ仕様のプラグ３ａを有する外部記憶媒体３が接続されるようにする。【選択図】  図３
2006237767.tif 000002
【特許請求の範囲】
【請求項１】
近距離無線方式により関連機器との無線接続を行うブルートゥース無線方式の無線送受信モジュールと、
スピーカ及びマイクロホンと、
自動車のシガーライタ・ソケットに差し込まれて電源の供給を受けるシガーライタ・プラグと、
シガーライタ・ソケット電圧を所定の電圧に変換して各部に供給する電源回路部と、
ユニバーサル・シリアル・バス・モジュールとシリーズＢ仕様コネクタとを搭載し、前記シリーズＢ仕様コネクタのシリーズＡプラグが差し込まれる嵌合口を筐体に設けたスロットに臨ませて設けられたユニバーサル・シリアル・バス・ポートと、
構成各部の動作を制御する制御部を構成するマイクロプロセッサとを備え、
前記無線送受信モジュールを介して、ハンズフリー通話モードの設定状態で無線接続された携帯電話機を中継して前記スピーカと前記マイクロホンとを利用したハンズフリー通話を行うとともに、再生モードの設定状態で前記筐体のスロットに差し込まれ前記シリーズＢコネクタと接続されるシリーズＡプラグを有する外部記憶媒体に記憶された記憶情報を車載オーディオ装置から再生させることを特徴とする自動車用音声通信装置。
【請求項２】
前記マイクロプロセッサが、前記外部記憶媒体の記憶情報を再生中に前記携帯電話機の着信を検出すると、再生モードからハンズフリー通話モードへの切換動作を行うことを特徴とする請求項１に記載の自動車用音声通信装置。
【発明の詳細な説明】
【技術分野】
【０００１】
本発明は、自動車内で携帯電話機を把持することなく通話を行うハンズフリー通話を可能とする自動車用音声通信装置に関する。
【背景技術】
【０００２】
自動車用音声通信装置、すなわちハンズフリーキットは、一般にダッシュボード等に設置され、コンソールボックス等に設置されて携帯電話機が装填されるホルダとケーブルと適宜の接続手段によって接続される。ハンズフリーキットは、車の運転中において、携帯電話機を把持することなく相手側とハンズフリー通話を行うことを可能とする。ハンズフリーキットは、道路交通法の改正によって運転中に携帯電話機を把持しての通話行為に対する罰則規定が強化されたことにより、携帯電話機社会ともいえる現状において車載アイテムとして大きな注目を浴びている。
【０００３】
ハンズフリーキットは、シガーライタ・プラグを有しており、シガーライタ・ソケットに差し込まれることによって電源の供給を受ける。ハンズフリーキットは、構成各部の動作を制御する制御部を構成するマイクロプロセッサやスピーカ及びマイクロホンとを備えているが、携帯電話機ホルダとの接続を無線により行うことによって配線レス化を図るようにしたものも提供されている（特許文献１参照）。
【０００４】
先願のハンズフリーキットは、マイクロホンとスピーカとが接続されるブルートゥース（Bluetooth）無線方式の無線送受信モジュールを備えるとともに、シガーライタ・ソケットに接続して電源の供給を受けるようにする。ブルートゥース無線方式は、パーソナルコンピュータ等において周辺機器と無線接続して各種情報の授受を行うことを可能とする近距離無線方式であり、２．４ＧＨｚ周波数帯域の搬送電波を用いて１０ｍ程度の近距離間を無線接続する。
【０００５】
【特許文献１】特開２００４−７２２５９号公報
【発明の開示】
【発明が解決しようとする課題】
【０００６】
ところで、運転者は、一般にカー・ラジオやカー・オーディオ装置等からの音楽等を聴きながら運転を行うことによって気分転換を図るようにしている。運転者は、着信があった場合に聞いていたカーラジオ等の電源を切ったりボリュームを落とす操作を行った後にハンズフリーキットを介して相手方との通話を行っていた。ハンズフリーキットは、運転者に対して着信応答の操作を必要とさせるとともに、音楽等を大きなボリュームで聴いている場合に着信を聞き逃させるといった問題もあった。
【０００７】
ハンズフリーキットにおいては、携帯電話機によって着信に対する応答操作を行った後に、この携帯電話機を中継してハンズフリー通話を行うようにしている。一方、携帯電話機においては、着信を受けた場合に液晶表示器に発呼者側の電話番号を表示する機能を備えており、表示された電話番号を確認することによって不要な着信や心当たりの無い着信に対する応答を拒否することが可能である。
【０００８】
したがって、従来では、運転中の電話着信や電子メール着信に対して、その都度携帯電話機ホルダから携帯電話機を取り出して発呼者を確認する操作が必要であった。携帯電話機は、液晶表示器に表示された発呼者側の電話番号やメール内容の確認後に、再び携帯電話機ホルダに装填される。運転中のかかる操作は、運転者が前方から目をそらすことが多くなるために極めて危険である。
【０００９】
ところで、従来のハンズフリーキットにおいては、もっぱらハンズフリー通話機能のみを有しており、多機能化、複合機能化を図ったものは提供されれていない。一方、カーナビゲーション装置等の車載機器においては、多機能化、複合機能化が図られており、また例えば車内に持ち込んだパーソナルコンピュータ等との接続機能も要求される。例えば、カー・オーディオ装置は、一般仕様としてテープカセット、ＣＤ（コンパクトディスク）やＭＤ（ミニディスク）等の情報記憶媒体が装填されることによって音楽等の再生が行われる。情報記憶媒体としては、例えばメモリカード等のより高記憶容量のものが提供されているが、これらに記憶された音楽情報等をカー・オーディオ装置で再生する仕様にはなっていない。
【００１０】
したがって、本発明は、着信があった場合に携帯電話機を把持することなく発呼者の確認を行い得るようにして使い勝手や安全性の向上を図り、また各種の外部記憶媒体を用いることを可能とすることで多機能化、複合機能化を図る自動車用音声通信装置を提供することを目的に提案されたものである。
【課題を解決するための手段】
【００１１】
上述した目的を達成する本発明にかかる自動車用音声通信装置は、近距離無線方式によって関連機器との無線接続を行うブルートゥース（Bluetooth）無線方式の無線送受信モジュールと、スピーカ及びマイクロホンと、自動車のシガーライタ・ソケットに差し込まれて電源の供給を受けるシガーライタ・プラグと、シガーライタ・ソケット電圧を所定の電圧に変換して各部に供給する電源回路部と、構成各部の動作を制御する制御部を構成するマイクロプロセッサ等を備える。また、自動車用音声通信装置は、ユニバーサル・シリアル・バス（ＵＳＢ）・モジュールとシリーズＢ仕様コネクタとを搭載し、このシリーズＢ仕様コネクタのシリーズＡ仕様のプラグが差し込まれる嵌合口を筐体に設けたスロットに臨ませて設けられたユニバーサル・シリアル・バス（ＵＳＢ）・ポートを備えている。
【００１２】
自動車用音声通信装置は、ハンズフリー通話機能とともに、ユニバーサル・シリアル・バス（ＵＳＢ）規格仕様のメモリカードや各種ストレージディバイス等の外部記憶媒体を再生する機能とを有する。自動車用音声通信装置においては、ハンズフリー通話モードに設定した状態で、ブルートゥース（Bluetooth）モジュールを介して携帯電話機と無線接続され、この携帯電話機を中継してスピーカとマイクロホンとを利用したハンズフリー通話を行う。また、自動車用音声通信装置においては、外部記憶媒体が、筐体のスロットからシリーズＡ仕様プラグを差し込んでユニバーサル・シリアル・バス・ポート側のシリーズＢ仕様コネクタの嵌合口に嵌合して接続され、再生モードに設定した状態で記憶された音楽情報等の再生操作が行われるようにする。
【００１３】
また、自動車用音声通信装置においては、マイクロプロセッサが、外部記憶媒体に記憶された音楽情報等を再生操作中に携帯電話機の着信を検出すると、再生モードからハンズフリー通話モードへの切換動作を行う。自動車用音声通信装置においては、モード切換え操作を不要として、外部記憶媒体の記憶情報を楽しむとともに、その状態のままで着信に対するハンズフリー通話が行われるようにする。
【発明の効果】
【００１４】
以上のように構成された本発明にかかる自動車用音声通信装置によれば、簡易な作業によって車内設置が可能とされるとともに他の車に持ち込んで使用することも可能である。自動車用音声通信装置によれば、外部記憶媒体に記憶された各種の情報等を様々な目的で利用することを可能とし、多機能化が図られる。自動車用音声通信装置によれば、例えば外部記憶媒体に記憶された音楽情報を取り出してカー・オーディオ装置を利用して聞くことも可能とする。
【発明を実施するための最良の形態】
【００１５】
以下、本発明の実施の形態について図面を参照して詳細に説明する。実施の形態として示した自動車用音声通信装置（以下、ハンズフリーキットと称する。）１は、詳細を後述するようにブルートゥース無線方式に基づく無線接続機能（以下、ブルートゥース機能と称する。）と、ユニバーサル・シリアル・バス（以下、ＵＳＢと称する。）規格に基づく接続機能とを備えている。
【００１６】
ハンズフリーキット１は、ブルートゥース機能によって携帯電話機２と無線接続され、車の運転中でも運転者が携帯電話機２を把持せずにコンソールボックス等に設置した携帯電話機ホルダに装填したままの状態で発呼者とのハンズフリー通話を行うことを可能とする。また、ハンズフリーキット１は、ブルートゥース機能やＵＳＢ機能によって、例えば車内に持ち込んだＵＳＢ接続構造を有するメモリカード３Ａや各種のＵＳＢストレージディバイス３Ｂ等の外部記憶媒体３が接続されるとともにカー・オーディオ装置２８とも接続され、外部記憶媒体３に記憶された音楽情報等を再生出力することも可能とする。
【００１７】
ブルートゥース無線方式は、周知のように２．４ＧＨｚ周波数帯域の搬送電波を用いて１０ｍ程度の近距離間において、機器間を相互に無線接続して情報等の相互授受を行うようにする。ブルートゥース無線方式においては、ホスト機器と複数（１乃至７）の機器との間で無線によってパケットベースのデータ通信とリアルタイムの音声通信とを可能とする。ブルートゥース無線方式においては、下りデータ伝送速度が最大で７２１Ｋｂｐｓ、上りデータ伝送速度が最大で５７．６Ｋｂｐｓ（但し２００１年仕様書Ｖｅｒ．１．１）であり、さらに６４Ｋｂｐｓの音声チャンネルが３チャンネル設けられる。
【００１８】
また、ＵＳＢ規格は、周知のようにパーソナルコンピュータをホストとして周辺機器との間を相互に接続することによって、最大１２Ｍｂｐｓの転送速度で情報等の相互授受を行うことを可能とする。ＵＳＢ規格においては、２本の信号線と電源及びグランドとの４本構成のＵＳＢケーブルが用いられるとともに、上位側をシリーズＢ、下位側をシリーズＡとした所定のコネクタ構造を用いてパーソナルコンピュータと周辺機器とを接続して各種の情報授受を行うとともに、上位側から下位側への電源供給が行われるようにする。
【００１９】
ハンズフリーキット１は、筐体５に突出して設けたシガーライタ・プラグ６をシガーライタ・ソケット４に差し込むことによって、コンソールパネルに取り付けられて車載バッテリからの電源供給を受ける。したがって、ハンズフリーキット１は、このようにシガーライタ・ソケット４に装着して用いる可搬型であるために小型・軽量化が図られ、内部電源を有していない。
【００２０】
ハンズフリーキット１は、筐体５から引き出したコードの先端部にシガーライタ・プラグ６を取り付けるようにしてもよい。ハンズフリーキット１は、かかる構成によりコード長に応じて例えばダッシュボード上に取り付ける据置き型としても構成される。ハンズフリーキット１は、このような据置き型であっても配線作業は不要であり、コード長も最短であることから邪魔になることは無い。また、ハンズフリーキット１は、据置き型としてある程度の大きさと重量とを有してもよい場合に、充電可能な二次電池を内蔵するとともに商用電源と接続して用いるいわゆる３電源型として構成するようにしてもよいことは勿論である。
【００２１】
ハンズフリーキット１は、図１及び図２に示すように略薄箱状の筐体５を有しており、この筐体５の背面部にシガーライタ・プラグ６が突出して設けられる。ハンズフリーキット１は、筐体５の前面部に内部スピーカ７の放音部や電源スイッチ８或いは切換スイッチ９等が設けられている。ハンズフリーキット１には、一端を筐体５に固定されたラセン管
１０内を導通されて先端部に高指向性の小型マイクロホン１１が設けられている。
【００２２】
ラセン管１０は、例えば塩化ビニール樹脂やポリエチレン樹脂等の合成樹脂材によって成形され、軽微な力で任意の角度や向きに折り曲げることが可能とされる。ラセン管１０は、基端部が例えば適宜のジョイント構造或いはねじ構造等からなる着脱部によって筐体５に対して着脱自在とされ、この基端部に筐体５側に設けたコネクタと接続される適宜のコネクタが設けられている。
【００２３】
ハンズフリーキット１は、万一の事故に際してラセン管１０やマイクロホン１１が運転手や同乗者に当たることがあっても、ラセン管１０が容易に変形することで衝撃を緩和させる。ハンズフリーキット１は、運転手の体型等に応じてラセン管１０を適宜の角度に折り曲げたり向きを変えることによりマイクロホン１１を最適な位置に設定することが可能である。ハンズフリーキット１は、例えば携帯電話機２の着信待機時には、運転手からマイクロホン１１を遠ざけて運転の邪魔にならないようにし、ハンズフリー通話時にマイクロホン１１が運転者に近づけられるようにすることが可能である。ハンズフリーキット１においては、例えば助手席に座った同乗者がハンズフリー通話を行う場合でも、ラセン管１０を助手席側に折り曲げてマイクロホン１１を向けることにより良好な状態で通話が行われるようにする。
【００２４】
ハンズフリーキット１は、例えば筐体５の前面部に液晶表示器を設けてもよい。ハンズフリーキット１は、液晶表示器によって着信時に発呼者側の電話番号を表示したり、モードの設定状態を表示することが可能である。ハンズフリーキット１は、ＵＳＢモードに設定されて外部記憶媒体３に記憶した音楽情報を再生出力している状態で、液晶表示器によりその内容を表示するようにしてもよい。また、ハンズフリーキット１は、液晶表示器により、例えば携帯電話機２にメールの着信が有った場合に、携帯電話機２から転送されるメール情報をブルートゥース機能によって受信し、メールの内容を表示するようにしてもよい。
【００２５】
ハンズフリーキット１は、適宜の情報を書き込み及び読み出し可能とする例えばＲＡＭ（Random Access Memory）からなる内部メモリを備えるようにしてもよい。ハンズフリーキット１は、ブルートゥース機能によって受信した例えば音楽情報を内部メモリに記憶して、必要に応じて再生して楽しむことが可能とされるようにする。
【００２６】
ハンズフリーキット１には、上述したように筐体５に、シガーライタ・プラグ６と、内部スピーカ７と、電源スイッチ８及び切換スイッチ９と、ラセン管１０を介してマイクロホン１１とが設けられている。ハンズフリーキット１には、筐体５の側面に、外部記憶媒体３を差し込むためのスロット１２が開口されている。ハンズフリーキット１は、詳細を後述するようにＵＳＢシステムの上位側を構成し、スロット１２に臨んでＵＳＢポート１３に搭載されたシリーズＢ仕様のコネクタ１４が設けられている。ＵＳＢポート１３は、後述するようにコネクタ１４とともにＵＳＢモジュール１５が搭載される。
【００２７】
ハンズフリーキット１には、筐体５の内部に、図３に示すようにＵＳＢポート１３とともに全体の制御動作を担当するＣＰＵ（Central Processing Unit）からなるマイクロプロセッサ１６と、ブルートゥース・モジュール１７とが設けられる。ハンズフリーキット１には、電源スイッチ８や切換スイッチ９のスイッチ操作による制御信号をマイクロプロセッサ１６に供給するＩ／Ｏコントローラ１８が設けられる。ハンズフリーキット１には、シガーライタ・プラグ６と接続された電源回路部１９や、内部スピーカ７と接続されたＤ／Ａコンバータ２０と、マイクロホン１１と接続されたＡ／Ｄコンバータ２１とが設けられる。ハンズフリーキット１には、ＵＳＢポート１３からの出力をマイクロプロセッサ１６へと供給するＩ／Ｏコントローラ２２が設けられている。
【００２８】
ＵＳＢモジュール１５は、詳細を省略するが、元データを規格データ転送パケットサイズに分割するＦＩＦＯ、転送事態に必要なデータ操作を行うＳＩＥ、転送速度に応じたバッファ部、同期パターンを受信して内部のデータサンプリングクロックを生成するＤＰＬＬ等の機能回路部とを備えており、モジュール化されて一般に提供されている。
【００２９】
ブルートゥース・モジュール１７は、詳細を省略するが、マイクロコンピュータ２３と、受信回路部２４と、送信回路部２５と、これら受信回路部２４と送信回路部２５とを切り換えるセレクタ２６と、アンテナ２７とを備えてモジュール化されて一般に提供されている。ブルートゥース・モジュール１７は、マイクロコンピュータ２３が入出力処理や構成各部の制御処理動作を行う。
【００３０】
ブルートゥース・モジュール１７は、詳細を省略するが、自動ネットワーク探索機能を有しており、所定の領域内に存在するブルートゥース機能機器、すなわち携帯電話機２を探索して無線ネットワークを自動構築する。また、ブルートゥース・モジュール１７は、当該ブルートゥース機能機器（携帯電話機２）との間において、相互の距離に応じて送受信出力が制御されて安定した状態で各種情報（音声信号）の授受が行われるようにする。なお、ブルートゥース・モジュール１７は、電力制御機能を有しており、待機状態で低電力消費モードとなる。
【００３１】
ブルートゥース・モジュール１７は、携帯電話機２で受信した相手方の音声を、携帯電話機２を中継して内部スピーカ７から放音させることによってハンズフリー通話が行われるようにする。ブルートゥース・モジュール１７は、携帯電話機２側から発信された相手方の音声に基づく音声信号をアンテナ２７によって受信する。ブルートゥース・モジュール１７は、受信した音声信号がセレクタ２６を介して受信回路部２４に供給されると、この受信回路部２４において所定の受信処理を施す。ブルートゥース・モジュール１７においては、受信回路部２４から受信した音声信号に基づくデジタル音声信号がマイクロコンピュータ２３へと供給される。ブルートゥース・モジュール１７は、マイクロコンピュータ２３において所定の入力処理が行われて、デジタル音声信号をマイクロプロセッサ１６へと出力する。
【００３２】
ハンズフリーキット１においては、マイクロプロセッサ１６から出力されたデジタル音声信号がＤ／Ａコンバータ２０によってアナログ変換されて内部スピーカ７へと供給される。ハンズフリーキット１においては、内部スピーカ７から相手方の音声が放音されるようにすることで、運転中であっても携帯電話機２を把持することなく聞き取ることができるようにする。
【００３３】
ブルートゥース・モジュール１７は、マイクロホン１１によって集音した音声をブルートゥース・モジュール１７を介して携帯電話機２へと発信し、この携帯電話機２を中継して相手方へと送信されることで通話が行われるようにする。ブルートゥース・モジュール１７には、マイクロホン１１によって集音されＡ／Ｄコンバータ２１によってデジタル変換されたデジタル音声信号が、マイクロプロセッサ１６を介してマイクロコンピュータ２３に供給される。ブルートゥース・モジュール１７は、このデジタル音声信号に対してマイクロコンピュータ２３において所定の信号処理を施して送信回路部２５へと出力する。ブルートゥース・モジュール１７は、送信回路部２５において所定の信号処理が施された音声信号がセレクタ２６を通過してアンテナ２７から発信される。
【００３４】
ハンズフリーキット１は、上述したようにシガーライタ・プラグ６がシガーライタ・ソ
ケット４に差し込まれることによって、車載バッテリからの電源供給を受ける。電源回路部１９は、詳細を省略するが、シガーライタ・プラグ６を介して供給を受けた車載バッテリ電圧ＤＣ１２Ｖをブルートゥース・モジュール１７やＵＳＢモジュール１５の仕様電圧であるＤＣ５Ｖに変圧して供給するＤＣ／ＤＣレギュレータ機能や電源の電圧状態を監視して各部に対して安定した状態で供給する機能を有している。
【００３５】
ハンズフリーキット１は、電源スイッチ８の操作によって電源のオンオフが行われるとともに切換スイッチ９の操作によってモード切換が行われる。ハンズフリーキット１は、例えば電源スイッチ８と切換スイッチ９とが共同して内部スピーカ７から放音される音声のボリューム調整を行ったり、マイクロホン１１のオンオフ切換を行うように構成してもよい。ハンズフリーキット１は、電源スイッチ８に代えてボリュームスイッチとして用いるようにしてもよい。
【００３６】
ハンズフリーキット１は、電源スイッチ８や切換スイッチ９の操作によって、Ｉ／Ｏコントローラ１８を介してマイクロプロセッサ１６へと所定の制御信号が出力されるようにする。ハンズフリーキット１は、これらの制御信号に基づいてマイクロプロセッサ１６からＵＳＢモジュール１５やブルートゥース・モジュール１７に対して所定の動作を行わせる制御信号を出力する。
【００３７】
以上のように構成されたハンズフリーキット１は、携帯電話機２が電源オン状態で車内の携帯電話機ホルダに装填されると、ブルートゥース・モジュール１７の自動ネットワーク探索機能によってこの携帯電話機２とネットワークを自動構築する。ハンズフリーキット１は、携帯電話機２に着信があると、携帯電話機２側から送信された着信信号をブルートゥース・モジュール１７によって受信して所定間信号処理を施して、マイクロプロセッサ１６を介して内部スピーカ７から放音することで運転者に対して着信の報知を行う。
【００３８】
ハンズフリーキット１は、運転者や同乗者が例えば切換スイッチ９をスイッチング操作することによってブルートゥース・モジュール１７から携帯電話機２に対して着信応答の制御信号を出力する。ハンズフリーキット１は、これによって携帯電話機２を相手方と通話可能状態とする。ハンズフリーキット１は、通話可能状態となった携帯電話機２をブルートゥース機能によって中継して、相手側からの受話音を内部スピーカ７から放音するとともに運転者の送話音をマイクロホン１１によって集音して携帯電話機２を介して相手側に送信することで相手方との間でハンズフリー通話が行われるようにする。
【００３９】
なお、ハンズフリーキット１においては、例えば所定回数の呼出音の受信をコントローラ１６でカウントすることにより、コントローラ１６からブルートゥース・モジュール１７を介して着信応答制御信号を携帯電話機２に対して自動的に出力するように構成してもよい。
【００４０】
ハンズフリーキット１は、携帯電話機２を中継したハンズフリー通話を行っていない状態において、シガーライタ・プラグ６をシガーライタ・ソケット４に差し込んで電源の供給を受けることでスタンドアローンを構成する。ハンズフリーキット１には、ＵＳＢモードの設定状態において、筐体５に設けたスロット１２内に外部記憶媒体３が差し込まれ、この外部記憶媒体３に記憶された音楽情報を再生して内部スピーカ７から出力することが可能である。また、ハンズフリーキット１は、例えばブルートゥース機能を有するカー・オーディオ装置２８と共同して車内ネットワークシステムを構築して、そのスピーカから外部記憶媒体３に記憶された音楽情報を再生して出力させることを可能とする。
【００４１】
ハンズフリーキット１には、所定のシリーズＡ仕様プラグ３ａを有してＵＳＢシステムの下位側を構成する外部記憶媒体３が、それぞれのプラグ３ａを筐体のスロット１２内に
差し込むことによってコネクタ１３と接続される。ハンズフリーキット１は、ＵＳＢモジュール１５が外部記憶媒体３に記憶された音楽情報を取り込んで所定の信号処理を施し、Ｉ／Ｏコントローラ２２を介してマイクロプロセッサ１６へと供給する。
【００４２】
ハンズフリーキット１においては、マイクロプロセッサ１６から外部記憶媒体３からの音楽情報に基づくデジタル音楽信号がＤ／Ａコンバータ２０へと出力され、このＤ／Ａコンバータ２０によってアナログ変換して内部スピーカ７へと供給される。ハンズフリーキット１においては、内部スピーカ７から外部記憶媒体３の音楽情報が放音されるようにする。
【００４３】
ハンズフリーキット１においては、カー・オーディオ装置２８が、ブルートゥース機能によって車内ネットワークシステムを構築している場合に、マイクロプロセッサ１６から外部記憶媒体３からの音楽情報に基づくデジタル音楽信号がブルートゥース・モジユール１７のマイクロコンピュータ２３を介して送信回路部２５に出力される。ハンズフリーキット１においては、音楽信号がセレクタ２６を介してアンテナ２７からカー・オーディオ装置２８へと発信され、そのスピーカから放音されるようにする。
【００４４】
ハンズフリーキット１においては、上述したＵＳＢモードに設定して外部記憶媒体３に記憶した音楽情報を再生している状態において携帯電話機２に着信があった場合に、ハンズフリー通話モードへの切換動作が行われる。ハンズフリーキット１においては、上述したように携帯電話機２側から送信された着信信号をブルートゥース・モジュール１７を介してマイクロプロセッサ１６が受信する。ハンズフリーキット１においては、マイクロプロセッサ１６からＵＳＢモジュール１５に対して外部記憶媒体３からの音楽情報の取り込み動作を停止させる制御信号が出力される。ハンズフリーキット１においては、この制御信号によって音楽情報の再生動作が停止されるとともに、上述した着信応答動作が開始されてハンズフリー通話が行われるようにする。
【００４５】
なお、ハンズフリーキット１は、筐体５に設けたスロット１２に外部記憶媒体３を差し込んで記憶された音楽情報を再生する使用態様について説明したが、かかる使用態様に限定されないことは勿論である。ハンズフリーキット１は、ＵＳＢ機能を有して外部記憶媒体３に記憶された各種の情報等を使用することを可能とするものであり、カー・オーディオ装置２８ばかりでなく例えば車内に搭載されたカーナビゲーション装置等とも接続して外部記憶媒体３に記憶された各種の情報等が利用されるようにする。
【００４６】
本発明は、上述した実施の形態に示すハンズフリーキット１に限定されず、発明の技術的範囲において種々改変が可能であり、この発明がこれらの改変されたものにも及ぶことは勿論である。
【図面の簡単な説明】
【００４７】
【図１】実施の形態として示すハンズフリーキットの斜視図である。
【図２】同ハンズフリーキットの側面図である。
【図３】同ハンズフリーキットの構成図である。
【図４】同ハンズフリーキットの使用状態の説明図である。
【符号の説明】
【００４８】
１        ハンズフリーキット
２        携帯電話機
３        外部記憶媒体
４        シガーライタ・ソケット
５        筐体
６        シガーライタ・プラグ
７        内部スピーカ
８        電源スイッチ
９        切換スイッチ
１０      ラセン管
１１      マイクロホン
１２      スロット
１３      ＵＳＢスロット
１４      シリーズＢコネクタ
１５      ＵＳＢモジュール
１６      マイクロプロセッサ
１７      ブルートゥース・モジュール
１８      Ｉ／Ｏコントローラ
１９      電源回路部
２０      Ｄ／Ａコンバータ
２１      Ａ／Ｄコンバータ
２２      Ｉ／Ｏコントローラ
２３      マイクロコンピュータ
２４      受信回路部
２５      送信回路部
２６      セレクタ
２７      アンテナ
２８      カー・オーディオ装置
【図１】
2006237767.tif 000003
【図２】
2006237767.tif 000004
【図３】
2006237767.tif 000005
【図４】
2006237767.tif 000006